(57)【要約】【課題】  モジュールサイズの引き戸を用いた簡単な構造でありながら、容易に出入口巾寸法を広くすることができる使い勝手の良い引き戸装置を提供する。【解決手段】  建付け開口を構成する枠体１と、建付け開口内の一方側部が出入口２となるよう同建付け開口内の他方側部に設けられる袖壁体３と、出入口２を開閉するように往復移動してこの出入口２を開口させる際には袖壁体３の後側に納められるモジュールサイズＭの引き戸４と、を備えた引き戸装置において、出入口２が袖壁体３とは反対側へ引き戸４のモジュールサイズＭよりも大きくなるように枠体１を側方へ延設形成し、この側方延設部分を開閉する袖壁状扉体５を同枠体１に回動自在に枢設した。【選択図】図１
2005220661.tif 000002
【特許請求の範囲】
【請求項１】
建付け開口を構成する枠体と、建付け開口内の一方側部が出入口となるよう同建付け開口内の他方側部に設けられる袖壁体と、出入口を開閉するように往復移動してこの出入口を開口させる際には袖壁体の後側に納められるモジュールサイズの引き戸と、を備えた引き戸装置であって、出入口が袖壁体とは反対側へ引き戸のモジュールサイズよりも大きくなるように枠体を側方へ延設形成し、この出入口の大きくなった側方延設部分を開閉する袖壁状扉体を同枠体に回動自在に枢設してなる引き戸装置。
【請求項２】
引き戸が往復移動する軌道上に閉状態となる袖壁状扉体を配置してこの袖壁状扉体を枠体の袖壁体とは反対側の縦枠部に枢着し、同袖壁状扉体の開閉側先端部分に引き戸の開閉側端部が着脱自在に当接される戸当り部を設けたことを特徴とする請求項１記載の引き戸装置。
【請求項３】
袖壁状扉体をその戸当り部が枠体の袖壁体とは反対側で後側外方に回動されて開状態とされるものとしたことを特徴とする請求項２記載の引き戸装置。
【請求項４】
枠体内の中程に方立状柱体を立設してこの方立状柱体の側方に袖壁体を連設形成し、枠体の奥行寸法を出入口部分において同袖壁体の部分よりも大きく巾広としたことを特徴とする請求項１〜３のいずれか一つに記載の引き戸装置。
【発明の詳細な説明】
【技術分野】
【０００１】
本願発明は、モジュールサイズの引き戸が開けられた際に袖壁体の後側に納められる引き戸装置に関するものである。
【背景技術】
【０００２】
従来から、出入口を開閉する引き戸が開けられた際に袖壁体の後側に納められる引き戸装置は公知である（特許文献１：特開平７−４２４３５号公報参照）。この種の引き戸装置は、一般に、図５に示す如く、建付け開口を構成する枠体１と、建付け開口内の一方側部が出入口２となるよう同建付け開口内の他方側部に設けられる袖壁体３と、出入口２を開閉するように往復移動してこの出入口２を開口させる際には袖壁体３の後側に納められるモジュールサイズの引き戸４と、を備えている。
【０００３】
ここで、例えば、図５に示すものにおいて、建付け開口の左側略半分を出入口２とするように袖壁体３を設け、出入口巾寸法ｄが９００mm、引き戸４のモジュール巾寸法Ｍが９３０mm、枠体１の枠外巾寸法Ｌが１８７５mmである場合に、出入口巾寸法ｄよりも大きなピアノや大型家具等を搬入する際、通常よりも広い開口巾寸法Ｄ（例えば、１２００mm）を確保する必要がある。このような場合、予め出入口巾寸法ｄを通常よりも広い開口巾寸法Ｄに適合するように大きく形成しておくことが考えられる。
【０００４】
しかしながら、前記のように予め出入口巾寸法ｄを大きく形成すると、現場施工される袖壁体３の巾寸法が変更されるだけでなく、予め引き戸４としてモジュール巾寸法Ｍよりも大きいものを製作しておくことが必要となる。この場合、引き戸４の構造や製造設備上からその製作が困難となり、しかも、引き戸４の巾寸法が大きくなるということで、その大きくなった巾寸法分だけ出入口巾寸法ｄが狭くなるように制限されたり、引き戸４が重くなる等、使い勝手が悪くなるという問題を生じる。
【特許文献１】特開平７−４２４３５号公報
【発明の開示】
【発明が解決しようとする課題】
【０００５】
本願発明は、上記従来の技術に鑑みて発明されたもので、その課題は、モジュールサイズの引き戸を用いたものであり、袖壁体の巾寸法を変更する必要もない簡単な構造でありながら、容易に出入口巾寸法をモジュールサイズよりも広く確保することができる使い勝手の良い引き戸装置を提供することである。
【課題を解決するための手段】
【０００６】
上記課題を解決するため、本願発明の引き戸装置は、建付け開口を構成する枠体と、建付け開口内の一方側部が出入口となるよう同建付け開口内の他方側部に設けられる袖壁体と、出入口を開閉するように往復移動してこの出入口を開口させる際には袖壁体の後側に納められるモジュールサイズの引き戸と、を備えたものにおいて、出入口が袖壁体とは反対側へ引き戸のモジュールサイズよりも大きくなるように枠体を側方へ延設形成し、この出入口の大きくなった側方延設部分を開閉する袖壁状扉体を同枠体に回動自在に枢設させたものである。
【発明の効果】
【０００７】
本願発明の引き戸装置においては、モジュールサイズの引き戸をその巾寸法のままで用いることができ、袖壁体の現場施工も巾寸法を変更することなく行うことができる簡単な構造でありながら、引き戸を枠体から取り外すことなく袖壁状扉体を回動開閉することによって、容易に出入口巾寸法をモジュールサイズよりも広く確保することができて使い勝手の良好なものとなる。
【発明を実施するための最良の形態】
【０００８】
図１〜４は、本願発明の請求項１〜４全てに対応した一実施形態である引き戸装置を示している。この実施形態の引き戸装置は、建付け開口を構成する枠体１と、建付け開口内の一方側部が出入口２となるよう同建付け開口内の他方側部に設けられる袖壁体３と、出入口２を開閉するように往復移動してこの出入口２を開口させる際には袖壁体３の後側に納められるモジュールサイズ（モジュール巾寸法Ｍ）の引き戸４と、を備えている。そして、この場合に、出入口２が袖壁体３とは反対側へ引き戸４のモジュールサイズＭよりも大きくなるように枠体１を側方へ延設形成し、この出入口の大きくなった側方延設部分を開閉する袖壁状扉体５を同枠体１に回動自在に枢設している。
【０００９】
そして、この実施形態の引き戸装置では、引き戸４が往復移動する軌道上に閉状態となる袖壁状扉体５を配置してこの袖壁状扉体５を枠体１の袖壁体３とは反対側の縦枠部1aに枢着し、同袖壁状扉体５の開閉側先端部分に引き戸４の開閉側端部4aが着脱自在に当接される戸当り部5aを設けている。この場合、袖壁状扉体５をその戸当り部5aが枠体１の袖壁体３とは反対側で後側外方に回動されて開状態とされるものとしてもいる。また、この実施形態の引き戸装置では、枠体１内の中程に方立状柱体６を立設してこの方立状柱体６の側方に袖壁体３を連設形成し、枠体１の奥行寸法（ｔ）を出入口２部分において同袖壁体３の部分よりも大きく巾広（t1＞t2）としている。
【００１０】
以下、この実施形態の引き戸装置をより具体的詳細に説明する。枠体１は建物の壁部Ｗにおいて建付け開口を構成するもので、両側の縦枠部1a，1bと下枠部1cと上枠部1dとで横長の略矩形枠状に組立形成される。この場合、壁部Ｗは建物の部屋間を仕切るものであっても、部屋と押し入れや納戸等のスペースとの間を仕切るものであっても良い。また、枠体１の下枠部1cは建物の床部Ｆに埋設されており、この床部Ｆが同下枠部1cを介して略面一状に連続したバリアフリー構造とされている。
【００１１】
枠体１は施工現場において組立建付けされ、その際に、建物の壁部Ｗと同様に袖壁体３が施工される。この場合、枠体１の中程には方立状柱体６が予め立設されており、この方立状柱体６の側方に袖壁体３は壁部Ｗと同様に連設形成される。そして、枠体１の両縦枠部1a，1b及び方立状柱体６の側縁に形成された凹溝７に額縁材８が各々嵌合固着され、組立建付けされた同枠体１と共に袖壁体３及び壁部Ｗの表面仕上げは完了する。なお、枠体１の奥行寸法ｔは出入口２部分において同袖壁体３の部分よりも大きく巾広（t1＞t2）とされており、上枠部1d及び下枠部1cの奥行寸法ｔが、袖壁体３の部分でその他の部分の奥行寸法t1よりも同袖壁体３の厚み寸法だけ巾狭な奥行寸法t2とされ、袖壁体３側の縦枠部1bと方立状柱体６との奥行巾寸法の総和が、反対側の縦枠部1aの奥行巾寸法と略等しくされている。
【００１２】
枠体１の下枠部1cの上面にはその巾方向中央から袖壁体３の後側へ片寄った位置に、溝状レール部９が全長にわたって形成されている。図４に示す如く、溝状レール部９内にはレール部材が収容固定されており、このレール部材上を引き戸４の両側部分下端に付設された戸車11が転動することによって、引き戸４は同溝状レール部９に沿った直線軌道で往復移動される。また、枠体１の上枠部1dには前記溝状レール部９と対向するように溝型レール10が設けられており、この溝型レール10に引き戸４の上端部分が摺動自在に嵌合された状態で同引き戸４は往復移動される。この場合、方立状柱体６の額縁材８とは反対側に隙間防止材14が突設されており、この隙間防止材14が前記往復移動される引き戸４の表面に摺接することで、同引き戸４のふらつきがたつき動きは防止される。
【００１３】
袖壁状扉体５は木質板材でなり、枠体１の袖壁体３とは反対側の縦枠部1aに丁番15を介して枢着されている。この場合、丁番15の一方の丁番片が袖壁状扉板５の端面に、他方の丁番片が縦枠部1aの表面に取着固定されて、その回動中心軸15ａが同縦枠部1aの外側に配置されており、袖壁状扉板５はその戸当り部5aが枠体１の袖壁体３とは反対側で後側外方に回動されて開状態とされる。そのため、袖壁状扉体５は開状態とされた際に、その全体が枠体１の外側に突出除去されて邪魔にならない。また、引き戸４の開閉側端部4a付近の表裏には把手13が突設されており、この把手13を手で持って同引き戸４をスライド開閉することができる。
【００１４】
引き戸４を閉じた際にはその開閉側端部4aが、閉状態にある前記袖壁状扉体５の戸当り部5aに当接されるものであり、その際、この戸当り部5aに形成された戸当り凹所12に同開閉側端部4aは納まる。また、引き戸４を開けた際にはその前記と反対側の側端部4bが、枠体１の袖壁体３側の縦枠部1bに当接されるものであり、その際、この縦枠部1bに形成された戸当り凹所12に同側端部4bは納まる。すなわち、引き戸４は袖壁体３側の縦枠部1bと袖壁状扉体５の戸当り部5aとの間で往復移動されて開閉され、開閉いずれの状態でも同引き戸４の両側端部4a，4bが体裁良く納められる。また、袖壁状扉体５の戸当り部5aの下端には落とし棒16が設けられており、この落とし棒16を前記下枠部1cの溝状レール部９に係止させることで、同袖壁状扉体５は閉状態にロックされる。なお、落とし棒16を上下にスライドさせる操作は、前記戸当り部5aの戸当り凹所12内で支障なく行うことができる。
【００１５】
そして、この実施形態の引き戸装置において、通常時には、図１（ａ）に示す如く、袖壁状扉体５が閉状態とされ、出入口２を大きく開口させたい場合にのみ、図１（ｂ）に示す如く、同袖壁状扉体５が開状態とされる。図１（ａ）に示す状態において、引き戸４は開けられており、その際、把手13が方立状柱体６に当接しない程度に、同引き戸４のモジュールサイズＭは袖壁体３の巾寸法よりも大きく形成されている。この場合には、枠体１の枠外巾寸法Ｌから引き戸４のモジュールサイズＭと袖壁状扉体５の巾寸法とを差し引いた分だけの出入口巾寸法ｄとなるもので、例えば、枠外巾寸法Ｌが２２３７mm、引き戸４のモジュールサイズＭが９７９mmで、出入口巾寸法ｄが８５１mmとなり、そのために、袖壁状扉体５の巾寸法は約４００mmと設定されている。ここでは、枠外巾寸法Ｌが２２３７mmと設定されており、このサイズは一般住宅のモジュールに対応するものである。
【００１６】
また、図１（ｂ）に示す状態においては、引き戸４が開けられると共に袖壁状扉体５も開状態とされており、この場合、前記出入口巾寸法ｄよりも広く大きな開口巾寸法Ｄ（例えば、１１５０mm）が確保される。この状態において、出入口２の開口巾寸法Ｄは前記通常時の出入口巾寸法ｄよりも広くなり、同出入口２の開口を通してピアノやベット等の大型家具類を搬入出することができる。すなわち、引き戸４を枠体１から取り外すことなく袖壁状扉体５を回動して開けることによって、容易に出入口２の開口巾寸法Ｄを引き戸４のモジュールサイズＭよりも広く確保することができる。ここでは、袖壁状扉体５を略９０度回動させて開けるものとしているが、同袖壁状扉体５を略１８０度にまで大きく回動させて開けるものとすることによって、より広く大きな開口巾寸法Ｄを確保することができる。なお、この実施形態の引き戸装置において、引き戸４の開閉方向及び袖壁体３や袖壁状扉体５の配設位置を逆にしても同様に実施することができる。
【００１７】
したがって、この実施形態の引き戸装置においては、出入口２が袖壁体３とは反対側へ引き戸４のモジュールサイズＭよりも大きくなるように枠体１を側方へ延設形成し、この出入口２の大きくなった側方延設部分を開閉する袖壁状扉体５を同枠体１に回動自在に枢設しているので、モジュールサイズＭの引き戸４をその巾寸法Ｍのままで用いることができ、袖壁体３の現場施工も巾寸法を変更することなく通常施工と同様に行うことができる簡単な構造となっている。そして、このようなものでありながら、引き戸４を枠体１から取り外すことなく袖壁状扉体５を回動させて開状態とすることにより、容易に出入口巾寸法をモジュールサイズＭよりも広く確保（ｄをＤに）することができて使い勝手の良好なものとなっている。
【００１８】
また、引き戸４が往復移動する軌道上に閉状態となる袖壁状扉体５を配置してこの袖壁状扉体５を枠体１の袖壁体３とは反対側の縦枠部1aに枢着しているので、袖壁状扉体５が枠体１に対して確実に枢支され、同袖壁状扉体５はその閉状態で引き戸４と一直線状に並んで外観良く納まる。その際、袖壁状扉体５の開閉側先端部分に引き戸４の開閉側端部4aが着脱自在に当接される戸当り部5aを設けているので、閉じられた引き戸４はその開閉側端部4aが同戸当り部5aに当止して袖壁状扉体５に対し所定の位置で確実に閉止される。
【００１９】
しかも、この場合に、袖壁状扉体５をその戸当り部5aが枠体１の袖壁体３とは反対側で後側外方に回動されて開状態とされるものとしているので、この袖壁状扉体５は開状態とされた際に、その略全体が枠体１の外側に突出除去されて邪魔にならない。更に、枠体１内の中程に方立状柱体６を立設してこの方立状柱体６の側方に袖壁体３を連設形成し、枠体１の奥行寸法（ｔ）を出入口２部分において同袖壁体３の部分よりも大きく巾広（t1＞t2）としているので、袖壁体３を建物の壁部Ｗと同様にこれと連続して現場施工することができ、施工性に優れ施工仕上がり外観も良好となり、枠体１の一部が同袖壁体３に置き変わることとなってその分だけ同枠体１の材料は削減され軽量化にもつながる。
【図面の簡単な説明】
【００２０】
【図１】本願発明の一実施形態である引き戸装置を示し、（ａ）は袖壁状扉体の閉状態における概略平面図、（ｂ）は袖壁状扉体の開状態における概略平面図。
【図２】同引き戸装置を示す分解斜視図。
【図３】同引き戸装置を示す一部省略した横断面図。
【図４】同引き戸装置を示す一部省略した縦断面図。
【図５】従来例である引き戸装置を示す概略平面図。
【符号の説明】
【００２１】
１  枠体
1a  縦枠部
２  出入口
３  袖壁体
４  引き戸
4a  開閉側端部
５  袖壁状扉体
5a  戸当り部
６  方立状柱体
Ｍ  モジュールサイズ（モジュール巾寸法）
ｄ  出入口巾寸法
Ｄ  最大開口巾寸法
Ｌ  枠外巾寸法
ｔ  奥行寸法
【図１】
2005220661.tif 000003
【図２】
2005220661.tif 000004
【図３】
2005220661.tif 000005
【図４】
2005220661.tif 000006
【図５】
2005220661.tif 000007